(57)【要約】      （修正有）【課題】本考案は、犬が排泄する糞を手早く座ることなく処理することが出来夜間に歩いているのが、分かるように蛍光塗料を糞とり具に塗り又手のひらを指圧できるようにした携帯用犬の集糞具に関するものであって、袋の取り付けや交換が簡単にでき、かつ大量の糞の重みにも耐えうる構造とする。【解決手段】把握部１を備えており、把握部１に接続された、アーム部２と略円形の枠体６にて形成されている。突出部５は、アーム先端部３に貫通され弧状に曲げて安全にしている。突起部７は突起部７−１のように脱着自在の構造とする。【選択図】図１
0003123919.tif 000002
【実用新案登録請求の範囲】
【請求項１】
突起を出して、手のひらの指圧が出来るようにし、夜間用に蛍光塗料を塗った把握部１と、前記把握部１に接続されたアーム部２をパイプにし、軽量かつ強度を持たせたことを特徴とする犬の集糞具。
【請求項２】
把握部１と、前記把握部１に接続されたアーム部２と略円形の枠体６にて形成されており、請求項１記載の突出部５をアーム先端部3に貫通させ弧状に曲げたことを特徴とする請求項１記載の犬の集糞具。
【請求項３】
把握部１と前記把握部１に接続されたアーム部２と略円形の枠体６にて形成されており、アーム部２にアーム取り付け部４を接続させたことを特徴とする請求項１又は２記載の犬の集糞具。
【請求項４】
枠体６−１を形状記憶合金又はバネ鋼にし、又アーム取り付け部４−１をバネ板にして集糞が自在に出来るようにしたことを特徴とする１又は2記載の、犬の集糞具。
【請求項５】
アーム先端部３に枠部１６と引っ掛け部材１２を取り付け袋体９に紙体１５を入れたことを特徴とする請求項1又は2記載の犬の集糞具。
【請求項６】
把握部1と前期把握部1に接続されたアーム部２を略円形の枠体６に挟持具１０を脱着自在に取り付けることを特徴とする請求項1又は2記載の犬の集糞具。
【請求項７】
枠体６に押さえ部材１１を取り付け押さえ部材１１が開閉自在になることを特徴とする請求項1又は2記載の犬の集糞具。
【請求項８】
突起部７−１を把握部に脱着自在に取り付けたことを特徴とする請求項１又は２記載の犬の集糞具。
【考案の詳細な説明】
【技術分野】
【０００１】
本考案は犬を連れて散歩する時、手のひらを指圧したり、夜間歩いているのが分かるように蛍光塗料を塗ったり立ったまま犬の糞が取れるようにアーム部を長くした携帯用犬の集糞具に関するものである。
【背景技術】
【０００２】
犬の散歩時の排便の始末においては、ビニール袋等を携行し、排出した糞を拾って袋に収容したり、園芸用の小型スコップでかがんですくい取り、ビニール等の袋に入れたり夜間は懐中電灯を片手に持ったりしていた。このような方法では、いちいち屈んで糞を回収したり、夜間は懐中電灯又片方には鎖を持ち排出した糞を回収するのに困難であった。昨今では、手を汚さず処理できるものとして、紙製の糞取り具や、柄の付いたものでビニール袋等を取り付け排泄直後の犬の糞をその袋で受け止めるようにした器具がある。
【０００３】
しかしながら、袋を固定する方法が挟持させる方法であったり、袋の開口部全体を、針金等にてできた輪に取り付けた吊し紐にホックで留める構造になっていたりと、いずれも袋の取り付け、取り外しが面倒であったり、袋の大きさによって取り付けができなかったり、大型犬のような排便の量が多い場合に、重さに耐えにくかったり夜間は人が歩いているのを知らせるのに懐中電灯を持ったり、犬の排便のさいにいちいち屈んだりと不便さがあった。
【０００４】
【特許文献１】実用新案登録第３０７７６５１号
【特許文献２】実用新案登録第３０５８７１７号
【特許文献３】特開２００２−２５３０８２号
【特許文献４】実用新案登録第３１０３８５９号
【考案の開示】
【考案が解決しようとする課題】
【０００５】
本考案は、前述のような問題点に鑑みて成されたものであり、袋の取り付けや交換が簡単にでき、かついちいち屈んで排出した糞を取ったり夜間に人が歩いているのが分かるようにしたり又歩きながらの指圧が出来るような構造とする。
【課題を解決するための手段】
【０００６】
上記の目的を達成するために、把握部１を備えており、把握部１に接続された、アーム部２を長くするためにパイプにして軽量かつ強度を持たせたアーム先端部３を圧縮して突出部５を圧縮したパイプの先端部３に貫通させ弧状に曲げた構造とした。
【０００７】
更に把握部に突起を出して手のひらの指圧が出来るようにし、又夜間に人が歩いているのが分かるように夜光塗料を把握部１又はアーム部か枠体に塗った構造にした。
【０００８】
更なる方法として枠体６に図４のように挟持具１０で袋体9が風で揺れるのを防いだり図５のように袋体9を押さえ部材１１で押える構造にした。
【０００９】
更なる方法として図３のようにアーム先端部３に枠部１６を取り付けその枠部１６に袋体先端部１３の持ち手を通すようにした構造とした。
【００１０】
更に図３のように引っ掛け部財１２をアーム先端部３に取り付けティシュペーパーを掛けるようにし、又犬の糞が直接袋体９に入る前にティシュペーパー又は紙体１５を袋体９に入れるような構造とした。
【考案の効果】
【００１１】
本考案は上述のように構成されているから、立ったままで犬の糞の集糞ができ、夜間は人が歩いているのが分かり又犬の散歩をしながら手のひらの指圧が出来るので、飼い主が非常に楽しく安全に又健康に犬の排便の処理が可能となった。
【考案を実施するための最良の形態】
【００１２】
考案の実施の形態について図面を参照して説明する。把握部１は、木製や弾性体のもので、突出部は木製又は脱着自在な弾性体で、握りやすいものとする。把握部に接続されたアーム部は枠体６に接続されており、先部の枠体６は、略円形の状態に加工することにより、犬の糞を受け止めやすくしている。アーム部２及び枠体６の材質は合成樹脂やステンレスや針金やパイプ等を使用するのが望ましい。
【００１３】
袋体９に紙体１５又はティシュ１４を入れて犬の糞を集糞して紙体１５又はティシュのみを家のトイレに流すようにした。
【実施例１】
【００１４】
枠部１６はアーム先端部のどの位置に取り付けてもよいし、枠が切れていても袋体先端部１３が止まればよい。
【００１５】
挟持具１０は図４のようにスーパー等小売店で販売している
クリップ又は洗濯ばさみ等を利用する。
【産業上の利用可能性】
【００１６】
犬の散歩時に携帯し、座ることなく立ったまま糞の収集ができ、夜間の散歩時に歩いているのが見え、又手のひらの指圧もでき、安価で取り扱いが簡単な、携帯用集糞用具として利用できる。
【図面の簡単な説明】
【００１７】
【図１】犬の集糞具の実施方法を示した図と側面から見た図
【図２】犬の集糞具の実施方法を示した図と側面から見た図
【図３】犬の集糞具の実施方法を示した図
【図４】犬の集糞具の実施方法を示した図
【図５】犬の集糞具の実施方法を示した図
【符号の説明】
【００１８】
１    把握部
２    アーム部
３    アーム先端部
４    アーム取り付け部      アーム取り付け部４−１
５    突出部      
６    枠体        枠体６−１
７    突起部      突起部７−１
８    夜光塗料部
９    袋体
１０  挟持具
１１  押さえ部材
１２  引っ掛け部材
１３  袋体の先端部
１４  ティシュ
１５  紙体
１６  枠部
【図１】
0003123919.tif 000003
【図２】
0003123919.tif 000004
【図３】
0003123919.tif 000005
【図４】
0003123919.tif 000006
【図５】
0003123919.tif 000007